(57)【特許請求の範囲】
【請求項１】
室外空間から取り込んだ空気を室内空間へ供給する給気通路と、
当該給気通路へ室外空間から取り込んだ空気を通流させる給気手段と、
室内空間から取り出した空気を室外空間へ排気する排気通路と、
当該排気通路へ室内空間から取り出した空気を通流させる排気手段と、
通過する吸着空気の水分を吸着すると共に通過する再生空気へ水分を脱着する調湿部と、通過する冷却空気にて前記調湿部の吸着に伴う吸着熱を吸収する冷却部とを、前記調湿部にて水分を吸着しているときに前記冷却部にて吸着熱を吸収可能に備えた調湿素子を一対備えた空調システムであって、
室外空間から取り込んだ空気を室外空間へ送り出す作用通路と、
前記作用通路へ室外空間から取り出した空気を通流させる作用空気供給手段と、
二流体の顕熱を熱交換させる顕熱熱交換部と、
排熱を保有する熱媒との熱交換により空気を加熱する加熱部とを備え、
一方側の前記調湿素子への空気の通流状態と、他方側の前記調湿素子の空気の通流状態とを互いに切り換え可能な切換機構を備え、
前記切換機構が、
前記給気通路を、室外空間から取り込んだ空気が、吸着空気として一方側の前記調湿素子の前記調湿部を通流した後に、前記顕熱熱交換部を通流する状態とし、
前記排気通路を、室内空間から取り出した空気が、前記顕熱熱交換部及び前記加熱部を記載の順に通流した後に、再生空気として他方側の前記調湿素子の前記調湿部を通流する状態とし、
前記作用通路を、室外空間から取り込んだ空気が、冷却空気として一方側の前記調湿素子の前記冷却部を通流する状態とする第１通流状態と、
前記給気通路を、室外空間から取り込んだ空気が、吸着空気として他方側の前記調湿素子の前記調湿部を通流した後に、前記顕熱熱交換部を通流する状態とし、
前記排気通路を、室内空間から取り出した空気が、前記顕熱熱交換部及び前記加熱部を記載の順に通流した後に、再生空気として一方側の前記調湿素子の前記調湿部を通流する状態とし、
前記作用通路を、室外空間から取り込んだ空気が、冷却空気として他方側の前記調湿素子の前記冷却部を通流する状態とする第２通流状態とを、切り換えると共に、
前記第１通流状態から前記第２通流状態に切り換える際に、前記第１通流状態と前記第２通流状態との間において、前記作用通路を、室外空間から取り込んだ空気が、前記冷却空気として他方側の前記調湿素子の前記冷却部を通流する状態とする第１遷移状態に切り換え、
前記第２通流状態から前記第１通流状態に切り換える際に、前記第２通流状態と前記第１通流状態との間において、前記作用通路を、室外空間から取り込んだ空気が、前記冷却空気として一方側の前記調湿素子の前記冷却部を通流する状態とする第２遷移状態に切り換える空調システム。
【請求項２】
前記切換機構は、
前記第１遷移状態において、前記給気通路を、室外空間から取り込んだ空気が、前記吸着空気として一方側の前記調湿素子の前記調湿部を通流した後に、前記顕熱熱交換部を通流する状態とし、
前記第２遷移状態において、前記給気通路を、室外空間から取り込んだ空気が、前記吸着空気として他方側の前記調湿素子の前記調湿部を通流した後に、前記顕熱熱交換部を通流する状態とする請求項１に記載の空調システム。
【請求項３】
前記第１遷移状態及び前記第２遷移状態は、前記第１通流状態及び前記第２通流状態の期間の半分の期間である請求項１又は２に記載の空調システム。
【請求項４】
前記加熱部は、前記給気通路にて前記顕熱熱交換部へ導かれる空気の温度よりも高く、且つ排熱として有効に利用される排熱利用下限閾値より低い温度の熱媒を、空気と熱交換するように構成されている請求項１から３のいずれか一項に記載の空調システム。
【請求項５】
前記加熱部は、湯水を成層貯湯する貯湯槽の下方領域と上方領域との間の中間領域から取り出される湯水を熱媒として、空気と熱交換するように構成されている請求項１から４のいずれか一項に記載の空調システム。
【請求項６】
前記作用通路は、前記給気通路の最上流部位から分岐した分岐通路であり、当該分岐通路は、前記排気通路で前記排気手段の上流側に接続される通路であり、
前記作用空気供給手段と前記排気手段とを、単一のファンから構成する請求項１から５のいずれか一項に記載の空調システム。
【請求項７】
少なくとも、一対の前記調湿素子と、前記加熱部とを第１ユニットとして構成し、
少なくとも、前記顕熱熱交換部を前記第１ユニットとは別の第２ユニットとして構成している請求項１から６のいずれか一項に記載の空調システム。
【発明の詳細な説明】
【技術分野】
【０００１】
本発明は、室外空間から取り込んだ空気を室内空間へ供給する給気通路と、当該給気通路へ室外空間から取り込んだ空気を通流させる給気手段と、室内空間から取り込んだ空気を室外空間へ排気する排気通路と、当該排気通路へ室内空間から取り出した空気を通流させる排気手段と、通過する吸着空気の水分を吸着すると共に通過する再生空気へ水分を脱着する調湿部と、通過する冷却空気にて前記調湿部の吸着に伴う吸着熱を吸収する冷却部とを、前記調湿部にて水分を吸着しているときに前記冷却部にて吸着熱を吸収可能に備えた調湿素子を一対備えた空調システムに関する。
【背景技術】
【０００２】
現在、新たに建設されるマンションや戸建て住宅等においては、２４時間換気が義務づけられており、室外空間から取り込んだ空気を室内空間へ供給する給気通路及び給気手段を備えると共に、室内空間の空気を室外空間へ排気する排気通路及び排気手段が設けられている。
更に、このような２４時間換気システムにおいて、換気する空気の温湿度を調整するべく、一つ以上のデシカントロータを備えた空調システムが知られている。
図６に示すように、当該空調システム２００は、基本的な構成として、室外空間から取り込んだ空気を室内空間へ供給する給気通路Ｒ１と、当該給気通路Ｒ１へ室外空間から取り込んだ空気を通流させる第１ファンＦ１と、室内空間から取り込んだ空気を室外空間へ排気する排気通路Ｒ２と、当該排気通路Ｒ２へ室内空間から取り出した空気を通流させる第２ファンＦ２と、給気通路Ｒ１に配置される給気領域Ｄａと排気通路Ｒ２に配置される排気領域Ｄｂとの間で通気性吸湿体から成るデシカントロータＤｒを回転駆動して、給気領域Ｄａを通過する空気の除湿と排気領域Ｄｂを通過する空気におけるデシカントロータＤｒの再生とを行うロータ部Ｄと、給気通路Ｒ１における給気領域Ｄａの下流側を通流する空気と排気通路Ｒ２における排気領域Ｄｂの上流側を通流する空気とを熱交換する顕熱熱交換器ＥＸ１と、排気通路Ｒ２における顕熱熱交換器ＥＸ１と排気領域Ｄｂとの間を通流する空気を、熱媒ポンプ（図示せず）にて供給される熱媒との熱交換により加熱する加熱部ＥＸ２とを、備えて構成されている（以下、従来技術１と呼ぶことがある。また、基本的な構成であるため、先行技術文献を開示できない）。
当該従来技術１では、室外空間から取り込まれた空気が、デシカントロータＤｒの給気領域Ｄａにて除湿され、当該除湿に伴って発生する吸着熱を顕熱熱交換器ＥＸ１で放熱する形態で降温された後に、空調空気として室内空間へ供給する。
尚、当該従来技術１において、一定の除湿量（例えば、６〜７ｇ／ｋｇ’の除湿量）を確保しようとすると、デシカントロータＤｒの排気領域Ｄｂへ十分高い温度の空気を通流させる必要があるため、加熱部ＥＸ２においては約８０℃以上の温水を媒体として用いなければならなかった。このため、従来技術では、加熱部ＥＸ２において、排熱として豊富に存在する（有効に利用されていない）中温（例えば、５０℃以上７０℃以下、より詳しくは６０℃程度）の温水を熱媒として用いることはできなかった。
【０００３】
一方、デシカントを用いる他の空調システムとしては、特許文献１に記載の如く、比較的低い再生温度で再生できる空冷デシカント素子を用いたものが知られている（以下、従来技術２と略称することがある）。
図７に示すように、当該従来技術２に係る空調システム３００は、室外空間から取り込んだ空気を室内空間へ供給する給気通路Ｒ１と、当該給気通路Ｒ１へ室外空間から取り込んだ空気を通流させる給気手段Ｆ１と、室内空間から取り込んだ空気を室外空間へ排気する排気通路Ｒ２と、当該排気通路Ｒ２へ室内空間から取り出した空気を通流させる排気手段Ｆ２とを備えると共に、通過する吸着空気の水分を吸着すると共に通過する再生空気へ水分を脱着する調湿部ＤＳと、通過する冷却空気にて前記調湿部の吸着に伴う吸着熱を吸収する冷却部ＣＳとを、前記調湿部ＤＳにて水分を吸着しているときに前記冷却部ＣＳにて吸着熱を吸収可能に備えた調湿素子Ｄ１と調湿素子Ｄ２を一対備えている。
更に、当該従来技術２は、圧縮機（図示せず）と凝縮器Ｇと膨張弁（図示せず）と蒸発器Ｊとに冷媒を循環させるヒートポンプ装置を備えると共に、一方側の調湿素子Ｄ１への空気の通流状態と、他方側の調湿素子Ｄ２への空気の通流状態とを、一定時間毎に切り換える切換機構Ｋが設けられている。
説明を追加すると、切換機構Ｋは、図７に示すように、給気通路Ｒ１を、室外空間から取り込んだ空気が、一方側の調湿素子Ｄ１の調湿部ＤＳを通流する状態とし、排気通路Ｒ２を、室内空間から取り出した空気が、蒸発器Ｊと、一方側の調湿素子Ｄ１の冷却部ＣＳと、凝縮器Ｇと、他方側の調湿素子Ｄ２の調湿部ＤＳとを、記載の順に通流する状態とする第１通流状態と、図示は省略するが、給気通路Ｒ１を、室外空間から取り込んだ空気が、他方側の調湿素子Ｄ２の調湿部ＤＳを通流する状態とし、排気通路Ｒ２を、室内空間から取り出した空気が、蒸発器Ｊと、他方側の調湿素子Ｄ２の冷却部ＣＳと、凝縮器Ｇと、一方側の調湿素子Ｄ１の調湿部ＤＳとを、記載の順に通流する状態とする第２通流状態とを、切換可能に構成されている。
因みに、切換機構Ｋが、空気の通流状態を、第１通流状態に切り換えている場合には、室外空気ＯＡは、調湿素子Ｄ１の調湿部ＤＳを通過することで除湿されつつ、冷却部ＣＳを通過する室内空気ＲＡにて冷却され、空調空気ＳＡとして室内空間へ供給される。一方、調湿素子Ｄ２の調湿部ＤＳは、凝縮器Ｇで加熱された室内空気ＲＡが供給されるため、再生される。
以上の構成にあっては、調湿素子Ｄ１の調湿部ＤＳでは、空調空気ＳＡとして供給される室外空気ＯＡが、冷却部ＣＳを通流する室内空気ＲＡにて吸着熱を吸熱されながら、除湿されるため、従来技術１に比べ、高い除湿能力を発揮できるから、調湿素子Ｄ２での調湿部ＤＳを再生するために供給する空気の温度を低下できる。
【先行技術文献】
【特許文献】
【０００４】
特開２００３−１４８７６８号公報
【発明の概要】
【発明が解決しようとする課題】
【０００５】
上述した従来技術１に示される空調システムでは、デシカントロータＤｒにて必要な除湿量を確保できる程度にデシカントロータＤｒを再生するために、８０℃以上の熱媒（湯水）を加熱器ＥＸ２に供給する必要があり、排熱として豊富に存在する中温の湯水を再生熱源として用いることはできなかった。
【０００６】
一方で、特許文献１に係る空調システムにおいては、温湿度を調整する運転中において、調湿素子Ｄ１及び調湿素子Ｄ２の夫々の再生について鑑みた場合、切換機構Ｋにより、除湿しつつ冷却される状態と、凝縮器Ｇで加熱される状態とが順次切り換えられる。したがって、冷却されたものを加熱し、加熱されたものを冷却するので、調湿素子Ｄ１及び調湿素子Ｄ２の夫々が所期の温度に達するまで時間が掛かり、温湿度の調整に時間を要する可能性があった。
【０００７】
そこで、迅速に温湿度の調整を行うことができる空調システムが求められる。
【課題を解決するための手段】
【０００８】
本発明に係る空調システムの特徴構成は、
室外空間から取り込んだ空気を室内空間へ供給する給気通路と、
当該給気通路へ室外空間から取り込んだ空気を通流させる給気手段と、
室内空間から取り出した空気を室外空間へ排気する排気通路と、
当該排気通路へ室内空間から取り出した空気を通流させる排気手段と、
通過する吸着空気の水分を吸着すると共に通過する再生空気へ水分を脱着する調湿部と、通過する冷却空気にて前記調湿部の吸着に伴う吸着熱を吸収する冷却部とを、前記調湿部にて水分を吸着しているときに前記冷却部にて吸着熱を吸収可能に備えた調湿素子を一対備えた空調システムであって、
室外空間から取り込んだ空気を室外空間へ送り出す作用通路と、
前記作用通路へ室外空間から取り出した空気を通流させる作用空気供給手段と、
二流体の顕熱を熱交換させる顕熱熱交換部と、
排熱を保有する熱媒との熱交換により空気を加熱する加熱部とを備え、
一方側の前記調湿素子への空気の通流状態と、他方側の前記調湿素子の空気の通流状態とを互いに切り換え可能な切換機構を備え、
前記切換機構が、
前記給気通路を、室外空間から取り込んだ空気が、吸着空気として一方側の前記調湿素子の前記調湿部を通流した後に、前記顕熱熱交換部を通流する状態とし、
前記排気通路を、室内空間から取り出した空気が、前記顕熱熱交換部及び前記加熱部を記載の順に通流した後に、再生空気として他方側の前記調湿素子の前記調湿部を通流する状態とし、
前記作用通路を、室外空間から取り込んだ空気が、冷却空気として一方側の前記調湿素子の前記冷却部を通流する状態とする第１通流状態と、
前記給気通路を、室外空間から取り込んだ空気が、吸着空気として他方側の前記調湿素子の前記調湿部を通流した後に、前記顕熱熱交換部を通流する状態とし、
前記排気通路を、室内空間から取り出した空気が、前記顕熱熱交換部及び前記加熱部を記載の順に通流した後に、再生空気として一方側の前記調湿素子の前記調湿部を通流する状態とし、
前記作用通路を、室外空間から取り込んだ空気が、冷却空気として他方側の前記調湿素子の前記冷却部を通流する状態とする第２通流状態とを、切り換えると共に、
前記第１通流状態から前記第２通流状態に切り換える際に、前記第１通流状態と前記第２通流状態との間において、前記作用通路を、室外空間から取り込んだ空気が、前記冷却空気として他方側の前記調湿素子の前記冷却部を通流する状態とする第１遷移状態に切り換え、
前記第２通流状態から前記第１通流状態に切り換える際に、前記第２通流状態と前記第１通流状態との間において、前記作用通路を、室外空間から取り込んだ空気が、前記冷却空気として一方側の前記調湿素子の前記冷却部を通流する状態とする第２遷移状態に切り換える点にある。
【０００９】
例えば、１つの調湿素子に着目すると、吸着空気と冷却空気とを通流させる第１通流状態と、再生空気を通流させる第２通流状態とで切り換えが行われた場合、第２通流状態が終了した直後は調湿素子の温度が高いため、当該温度が低下するまでは調湿素子の吸着能力が十分に発揮できず、除湿効果が低下する。しかしながら、上述した特徴構成とすれば、第１通流状態から第２通流状態に切り換える際に、第１通流状態と第２通流状態との間において第１遷移状態を設け、第２通流状態から第１通流状態に切り換える際に、第２通流状態と第１通流状態との間において第２遷移状態を設けることにより、夫々の吸湿素子に対して吸着空気と冷却空気との双方を通流させる前に冷却空気で予備的に冷却することができる。このため、吸着空気の通流開始直後から調湿素子の吸着能力を活かすことができるので、除湿効果の低下を抑制できる。したがって、本空調システムによれば、迅速に温湿度の調整を行うことが可能となる。
【００１０】
また、上記特徴構成によれば、空冷式のデシカント素子として一対の調湿素子を備えた構成を採用しており、当該一対の調湿素子で、吸湿側として働く調湿素子では、その調湿部を通過する空気の湿分を吸着するときに冷却部にて吸着熱を吸熱するから、例えば、一対の調湿素子で、被再生側の調湿素子へ供給される再生空気の温度が比較的低い場合であっても、高い除湿能力を発揮できる。
この様な構成に加え、排熱を保有する熱媒との熱交換により空気を加熱する加熱部が、被再生側の調湿素子へ供給される再生空気を加熱するように構成されているから、例えば、当該加熱部へ、排熱として豊富に存在する中温（例えば、５０℃以上７０℃以下、より詳しくは６０℃程度）の熱媒を供給して、被再生側の調湿素子を良好に再生できる。
尚、中温の熱媒（例えば、成層貯湯される貯湯槽の中間部に貯湯される湯水）は、従来有効に使われずに捨てられていた場合が多かった点から考えると、当該構成によれば、加熱部に対する入力熱量を零とみなすことができ、この場合には、実質的な意味でのＣＯＰを向上できているとみなすことができる。
また、除湿側の調湿素子にて除湿された後の空気は、更に、顕熱熱交換部にて、夏場においては室外空気よりも温度が低い場合が多い室内空気と熱交換して冷却されるから、低湿・低温の空気を、空調空気として、室内空間へ供給できる。
このような構成にあっては、消費電力が大きく且つ機械的な耐久性が問題となる場合があるヒートポンプ装置を備えない構成とでき、豊富に存在する中温の排熱を有効に利用できつつ、電力の使用を十分に抑制して、経済性を確保しつつ、実質的な意味でのＣＯＰを向上し得る空調システムを実現できる。
【００１１】
また、前記切換機構は、
前記第１遷移状態において、前記給気通路を、室外空間から取り込んだ空気が、前記吸着空気として一方側の前記調湿素子の前記調湿部を通流した後に、前記顕熱熱交換部を通流する状態とし、
前記第２遷移状態において、前記給気通路を、室外空間から取り込んだ空気が、前記吸着空気として他方側の前記調湿素子の前記調湿部を通流した後に、前記顕熱熱交換部を通流する状態とすると好適である。
【００１２】
このような構成とすれば、他方側の吸湿素子を予備的に冷却する第１遷移状態では、一方側の調湿素子に吸着空気を通流させ、一方側の吸湿素子を予備的に冷却する第２遷移状態では、他方側の調湿素子に吸着空気を通流させることができる。したがって、第１遷移状態及び第２遷移状態においても継続して除湿を行って、空調システムの除湿能力をより高めることが可能となる。
【００１３】
また、前記第１遷移状態及び前記第２遷移状態は、前記第１通流状態及び前記第２通流状態の期間の半分の期間であると好適である。
【００１４】
このような構成とすれば、第１遷移状態及び第２遷移状態において、吸湿素子を予備的に冷却するにあたり、冷却効果を高めることができる。したがって、吸湿素子に冷却空気を通流させた際に、吸湿素子を十分に冷却することが可能となる。
【００１５】
また、前記加熱部は、前記給気通路にて前記顕熱熱交換部へ導かれる空気の温度よりも高く、且つ排熱として有効に利用される排熱利用下限閾値より低い温度の熱媒を、空気と熱交換するように構成されていると好適である。
【００１６】
このような構成とすれば、加熱部は、給気通路にて顕熱熱交換部へ導かれる空気の温度よりも高く、且つ排熱として有効に利用される排熱利用下限閾値温度より低い温度の熱媒を、空気と熱交換するように構成されているから、加熱部では、顕熱熱交換部にて給気通路から導かれる空気と熱交換した空気を良好に加熱できる。また、排熱として有効に利用される排熱利用下限閾値（例えば、６５℃程度）より低い温度の熱媒を用いて空気を加熱するから、これまで、排熱として有効に利用されない場合が多かった温度の熱媒を用いて空気を加熱し、当該加熱された空気により、被再生側の調湿素子を再生できる。
【００１７】
また、前記加熱部は、湯水を成層貯湯する貯湯槽の下方領域と上方領域との間の中間領域から取り出される湯水を熱媒として、空気と熱交換するように構成されていると好適である。
【００１８】
このような構成とすれば、加熱部へ熱媒として導かれる湯水を、成層貯湯される貯湯槽の中間領域から取り出す構成を採用するから、従来、排熱として豊富に存在すると共にその利用先が限定されていた中温の湯水を積極的に取り出して、本発明の空調システムの熱源として有効に利用できる。
【００１９】
また、前記作用通路は、前記給気通路の最上流部位から分岐した分岐通路であり、当該分岐通路は、前記排気通路で前記排気手段の上流側に接続される通路であり、
前記作用空気供給手段と前記排気手段とを、単一のファンから構成すると好適である。
【００２０】
このような構成とすれば、作用通路を、給気通路の最上流部位から分岐した分岐通路として構成し、当該分岐通路を、排気通路で排気手段の上流側に接続される通路として構成することで、排気通路の排気手段を働かせることにより、当該作用通路に空気を通流させることができる。
これにより、作用空気供給手段と排気手段とを単一のファンから構成することができる。
【００２１】
また、前記空調システムは、少なくとも、一対の前記調湿素子と、前記加熱部とを第１ユニットとして構成し、
少なくとも、前記顕熱熱交換部を前記第１ユニットとは別の第２ユニットとして構成していると好適である。
【００２２】
このような構成とすれば、例えば、第１ユニットと第２ユニットとを各別に配設することができるから、第１ユニットを室外ユニットとして室外に配設し、第２ユニットを室内の床下等に配置するような構成を採用できる。
尚、上記特徴構成にあっては、給気手段、排気手段、及び作用空気供給手段は、第１ユニットと第２ユニットの何れに設けていても構わない。
【図面の簡単な説明】
【００２３】
【図１】空調システムの概略構成図である。
【図２】空調システムの概略構成図である。
【図３】空調システムの概略構成図である。
【図４】切換機構による空気を通流する状態の切り換えを示す図である。
【図５】空調システムによる効果の一例を示す図である。
【図６】従来技術１に係る空調システムの概略構成図である。
【図７】従来技術２に係る空調システムの概略構成図である。
【発明を実施するための形態】
【００２４】
本発明の実施形態に係る空調システム１００は、豊富に存在する中温（例えば、５０℃以上７０℃以下、より詳しくは６０℃程度）の排熱を有効に利用しつつ、電力の使用を十分に抑制して、経済性を確保しつつ、実質的な意味でのＣＯＰ（Coefficient Of Performance）を向上し得るものに関する。
当該空調システム１００は、図１に示すように、主要な機器構成として、比較的低温の再生温度でも良好に温湿度調整を実行できる空冷式の一対の調湿素子Ｄ１、Ｄ２と、当該一対の調湿素子Ｄ１、Ｄ２への空気の通流状態を切り換える形態で、一対の調湿素子Ｄ１、Ｄ２を、吸湿側と被再生側とに所定時間毎（例えば、５分毎）に交互に切り換える切換機構Ｋと、二流体の顕熱を交換可能な顕熱熱交換器ＥＸ１（顕熱熱交換器の一例）と、熱媒通流路Ｒ４を通流する熱媒と空気とを熱交換する熱交換器として構成され且つ排熱を保有する熱媒との熱交換により空気を加熱する加熱器ＥＸ２（加熱部の一例）とを備えるものである。
一対の調湿素子Ｄ１、Ｄ２の夫々は、図１に示すように、通過する吸着空気の水分を吸着すると共に通過する再生空気へ水分を脱着する平板状の調湿部ＤＳと、通過する冷却空気にて調湿部ＤＳの吸着に伴う吸着熱を吸収する平板状の冷却部ＣＳとを、交互に積層して構成されている。
調湿部ＤＳと冷却部ＣＳとには、アルミやポリプロピレン等の薄板を波板状に加工した波板部材が波面が板面に沿う状態で配設されており、調湿部ＤＳに配設される波板部材と、冷却部ＣＳに配設される波板部材とは波面の波が互いに直交する状態で配設されている。
尚、調湿部ＤＳに配設される波板部材には吸湿材が塗布されており、当該調湿部ＤＳを通流する空気の湿分を吸着可能に構成されている。
これにより、調湿素子Ｄ１、Ｄ２には、調湿部ＤＳと冷却部ＣＳの積層方向視で、調湿部ＤＳに対し特定方向から空気を通流させて吸湿している状態で、冷却部ＣＳに対し特定方向と直交する方向から空気を通流させて調湿部ＤＳでの吸湿に伴う吸湿熱を回収可能に構成されている。
【００２５】
当該実施形態に係る空調システム１００にあっては、室外空間から取り込んだ空気を室内空間へ供給する給気通路Ｒ１と、当該給気通路Ｒ１へ室外空間から取り込んだ空気を通流させる第１ファンＦ１（給気手段の一例）と、室内空間から取り込んだ空気を室外空間へ排気する排気通路Ｒ２と、排気通路Ｒ２へ室内空間から取り出した空気を通流させる第２ファン（排気手段の一例）と、室外空間から取り込んだ空気を室外空間へ送り出す作用通路Ｒ３と、作用通路Ｒ３へ室外空間から取り込んだ空気を通流させる第２ファンＦ２（作用空気供給手段の一例）とが設けられている。詳細な説明は後述するが、当該実施形態においては、排気手段と作用空気供給手段とは、単一の第２ファンＦ２にて構成されている。
【００２６】
切換機構Ｋは、図１に示すように、一方側の調湿素子Ｄ１を吸湿側とすると共に他方側の調湿素子Ｄ２を被再生側とする第１通流状態と、図示は省略するが、他方側の調湿素子Ｄ２を吸湿側とすると共に一方側の調湿素子Ｄ１を被再生側とする第２通流状態とを、切り換え可能に構成されている。
説明を追加すると、第１通流状態は、図１に示すように、給気通路Ｒ１を、室外空間から取り込んだ空気が、吸着空気として一方側の調湿素子Ｄ１の調湿部ＤＳを通流した後に、顕熱熱交換器ＥＸ１を通流する状態とし、排気通路Ｒ２を、室内空間から取り出した空気が、顕熱熱交換器ＥＸ１及び加熱器ＥＸ２を記載の順に通流した後に、再生空気として他方側の調湿素子Ｄ２の調湿部ＤＳを通流する状態とし、作用通路Ｒ３を、室外空間から取り込んだ空気が、冷却空気として一方側の調湿素子Ｄ１の冷却部ＣＳを通流する状態とするものである。
一方、第２通流状態は、図面としては、図１において一方側の調湿素子Ｄ１と他方側の調湿素子Ｄ２とを入れ換えた状態であり、給気通路Ｒ１を、室外空間から取り込んだ空気が、吸着空気として他方側の調湿素子Ｄ２の調湿部ＤＳを通流した後に、顕熱熱交換器ＥＸ１を通流する状態とし、排気通路Ｒ２を、室内空間から取り出した空気が、顕熱熱交換器ＥＸ１及び加熱器ＥＸ２を記載の順に通流した後に、再生空気として一方側の調湿素子Ｄ１の調湿部ＤＳを通流する状態とし、作用通路Ｒ３を、室外空間から取り込んだ空気が、冷却空気として他方側の調湿素子Ｄ２の冷却部ＣＳを通流する状態とするものである。
以上より、第１通流状態にあっては、一方側の調湿素子Ｄ１が吸湿側として働くと共に他方側の調湿素子Ｄ２が被再生側となり、第２通流状態にあっては、一方側の調湿素子Ｄ１が被再生側となり、他方側の調湿素子Ｄ２が吸湿側として働くこととなる。
尚、以下の説明では、特に記載がない限り、切換機構Ｋが第１通流状態に切り換えている状態にあるとして説明する。
【００２７】
作用通路Ｒ３について説明を追加すると、作用通路Ｒ３は、その上流端を給気通路Ｒ１で一方側の調湿素子Ｄ１の上流側に接続すると共に、その下流端を排気通路Ｒ２で他方側の調湿素子Ｄ２の下流側で第２ファンＦ２の上流側に接続する形態で、備えられている。作用通路Ｒ３には、第２ファンＦ２に吸引されることにより空気が通流することとなり、当該空気は、吸湿側としての一方の調湿素子Ｄ１の冷却部ＣＳを通過する。即ち、当該実施形態では、第２ファンＦ２が作用空気供給手段として働く。
【００２８】
当該実施形態にあっては、第１ファンＦ１は、給気通路Ｒ１において、一方の調湿素子Ｄ１と顕熱熱交換器ＥＸ１との間に設けられ、第２ファンＦ２は、排気通路Ｒ２において、他方の調湿素子Ｄ２の下流側に設けられている。
【００２９】
作用通路Ｒ３について説明を追加すると、作用通路Ｒ３は、給気通路Ｒ１の第１ファンＦ１よりも上流側の最上流部位から分岐した分岐通路であり、当該分岐通路は、排気通路Ｒ２で第２ファンＦ２の上流側で他方側の調湿素子Ｄ２の下流側に接続される流路である。当該構成により、排気通路Ｒ２に設けられる第２ファンＦ２を働かせることで、作用通路Ｒ３としての分岐通路に対し、給気通路Ｒ１から空気を取り込むことができる。
【００３０】
以上のような構成を採用することで、給気通路Ｒ１を通流する空気は、吸湿側の一方の調湿素子Ｄ１の調湿部ＤＳを通過するときに、冷却部ＣＳを通過する空気にて吸着熱を吸収されながら除湿されることになるから、例えば、従来技術１に比べ、比較的低い再生温度で調湿素子Ｄ１、Ｄ２を再生したとしても、高い除湿能力を発揮できる。
即ち、当該実施形態に係る加熱器ＥＸ２では、再生空気を比較的低い温度である中温（例えば、５０℃以上７０℃以下、より詳しくは６０℃程度）に加熱できれば良いから、例えば、湯水を成層貯湯する貯湯槽（図示せず）の下方領域と上方領域との間の中間領域に貯留される中温の湯水を熱媒として利用可能に構成されている。
これにより、加熱器ＥＸ２では、例えば、給気通路Ｒ１にて顕熱熱交換器ＥＸ１へ導かれる空気の温度よりも高く、排熱として有効に利用される排熱利用下限閾値（例えば、６０℃）よりも低い温度の湯水（熱媒）を、調湿素子Ｄ１、Ｄ２の再生熱源として利用している。
【００３１】
尚、図示は省略するが、当該実施形態に係る空調システム１００は、少なくとも、一対の調湿素子Ｄ１、Ｄ２と加熱器ＥＸ２とを第１ユニットとして構成し、顕熱熱交換器ＥＸ１を第１ユニットとは別の第２ユニットとして構成している。当該実施形態にあっては、第１ファンＦ１及び第２ファンＦ２は、第１ユニットに含んで構成している。
【００３２】
切換機構Ｋは、上述したように第１通流状態と第２通流状態とに切り換えるが、更に、第１通流状態から第２通流状態に切り換える際に、第１通流状態と第２通流状態との間において第１遷移状態に切り換え、第２通流状態から第１通流状態に切り換える際に、第２通流状態と第１通流状態との間において第２遷移状態に切り換える。第１遷移状態とは、図２に示されるように、作用通路Ｒ３を、室外空間から取り込んだ空気が、冷却空気として他方側の調湿素子Ｄ２の冷却部ＣＳを通流する状態である。一方、第２遷移状態とは、図面としては、図２において他方側の調湿素子Ｄ２と一方側の調湿素子Ｄ１とを入れ換えた状態であり、作用通路Ｒ３を、室外空間から取り込んだ空気が、冷却空気として一方側の調湿素子Ｄ１の冷却部ＣＳを通流する状態である。
【００３３】
更に、本実施形態では、切換機構Ｋは、図３に示されるように、第１遷移状態において、給気通路Ｒ１を、室外空間から取り込んだ空気が、吸着空気として一方側の調湿素子Ｄ１の調湿部ＤＳを通流した後に、顕熱熱交換部ＥＸ１を通流する状態とする。一方、図３において一方側の調湿素子Ｄ１と他方側の調湿素子Ｄ２とを入れ換えた状態である、第２遷移状態において、給気通路Ｒ１を、室外空間から取り込んだ空気が、吸着空気として他方側の調湿素子Ｄ２の調湿部ＤＳを通流した後に、顕熱熱交換部ＥＸ１を通流する状態とする。
以上より、第１遷移状態にあっては、一方側の調湿素子Ｄ１が吸湿側として働くと共に他方側の調湿素子Ｄ２が予備冷却状態（吸湿準備状態）となり、第２遷移状態にあっては、一方側の調湿素子Ｄ１が予備冷却状態（吸湿準備状態）となり、他方側の調湿素子Ｄ２が吸湿側として働くこととなる。なお、実際には、図２の状態と図３と状態とが同時に成立するように構成される。
【００３４】
図４には、切換機構Ｋによる空気を通流する状態（以下「通流状態」とする）の切り換えを示すタイムチャートが示される。図４に示されるように、空調システム１００の運転を開始したタイミングをｔ＝ｔ０とする。まず、切換機構Ｋは、ｔ０からｔ１までの期間Ｔ１に亘って通流状態を第１通流状態にする。具体的には、給気通路Ｒ１を、室外空間から取り込んだ空気が、吸着空気として一方側の調湿素子Ｄ１の調湿部ＤＳを通流した後に、顕熱熱交換器ＥＸ１を通流する状態（＃０１）とし、排気通路Ｒ２を、室内空間から取り出した空気が、顕熱熱交換器ＥＸ１及び加熱器ＥＸ２を記載の順に通流した後に、再生空気として他方側の調湿素子Ｄ２の調湿部ＤＳを通流する状態（＃０２）とし、作用通路Ｒ３を、室外空間から取り込んだ空気が、冷却空気として一方側の調湿素子Ｄ１の冷却部ＣＳを通流する状態（＃０３）とする。
【００３５】
次に、切換機構Ｋは、ｔ１からｔ２までの期間Ｔ２に亘って通流状態を第１遷移状態にする。すなわち、切換機構Ｋは、第１通流状態の次に第１遷移状態に切り換える。具体的には、作用通路Ｒ３を、室外空間から取り込んだ空気が、冷却空気として他方側の調湿素子Ｄ２の冷却部ＣＳを通流する状態（＃０４）とし、給気通路Ｒ１を、室外空間から取り込んだ空気が、吸着空気として一方側の調湿素子Ｄ１の調湿部ＤＳを通流した後に、顕熱熱交換部ＥＸ１を通流する状態（＃０５）とする。
【００３６】
続いて、切換機構Ｋは、ｔ２からｔ３までの期間Ｔ３に亘って通流状態を第２通流状態にする。すなわち、切換機構Ｋは、第１遷移状態の次に第２通流状態に切り換える。具体的には、給気通路Ｒ１を、室外空間から取り込んだ空気が、吸着空気として他方側の調湿素子Ｄ２の調湿部ＤＳを通流した後に、顕熱熱交換器ＥＸ１を通流する状態（＃０６）とし、排気通路Ｒ２を、室内空間から取り出した空気が、顕熱熱交換器ＥＸ１及び加熱器ＥＸ２を記載の順に通流した後に、再生空気として一方側の調湿素子Ｄ１の調湿部ＤＳを通流する状態（＃０７）とし、作用通路Ｒ３を、室外空間から取り込んだ空気が、冷却空気として他方側の調湿素子Ｄ２の冷却部ＣＳを通流する状態（＃０８）とする。
【００３７】
更に、切換機構Ｋは、ｔ３からｔ４までの期間Ｔ４に亘って通流状態を第２遷移状態にする。すなわち、切換機構Ｋは、第２通流状態の次に第２遷移状態に切り換える。具体的には、作用通路Ｒ３を、室外空間から取り込んだ空気が、冷却空気として一方側の調湿素子Ｄ１の冷却部ＣＳを通流する状態（＃０９）とし、給気通路Ｒ１を、室外空間から取り込んだ空気が、吸着空気として他方側の調湿素子Ｄ２の調湿部ＤＳを通流した後に、顕熱熱交換部ＥＸ１を通流する状態（＃１０）とする。切換機構Ｋは、このような第１通流状態から第２遷移状態の一連の流れに沿った切り換えを繰り返して行う。
【００３８】
なお、第１遷移状態及び第２遷移状態は、第１通流状態及び第２通流状態の期間の半分の期間とすると良い。すなわち、図４に示されるように、第１通流状態の期間をＴ１、第１遷移状態の期間をＴ２、第２通流状態の期間をＴ３、第２遷移状態の期間をＴ４とすると、Ｔ２＝Ｔ４＝Ｔ１／２＝Ｔ３／２となるようにすると良い。
【００３９】
図５には、本実施形態に係る通流状態の切り換えを行った場合の出口湿度（室内へ供給される空調空気の湿度）の変化を示すデータが示される。このデータの取得にあたり使用したサンプルは、吸湿剤塗布量：３０〔ｇ／ｍ２〕、セル寸法：段高１．６×ピッチ３．２〔ｍｍ〕、吸着剤：ポリアクリル酸ナトリウム系吸湿剤、基材：アルミニウムである。このようなサンプルを用いて、高さ：１００〔ｍｍ〕、被除湿空気側流路幅：１２５〔ｍｍ〕、冷却用空気側流路幅：２５０〔ｍｍ〕の調湿素子Ｄ１，Ｄ２を作成した。また、取得条件（評価条件）は、被除湿空気温湿度：３０〔℃〕、６０〔％ＲＨ〕、被除湿空気風量：２４〔ｍ３／ｈ〕、冷却用空気温度：２７〔℃〕、冷却用空気風量：４８〔ｍ３／ｈ〕、再生用空気温度：５０〔℃〕、１３〔％ＲＨ〕、再生用空気風量：２４〔ｍ３／ｈ〕とした。
【００４０】
なお、図５では、縦軸を出口湿度、横軸を時間としている。また、本空調システム１００によるデータ（以下「本件データ」とする）は実線で示され、比較結果として通流状態を第１通流状態及び第２通流状態の間で切り換えた場合（すなわち、第１遷移状態及び第２遷移状態を設けない場合）のデータ（以下「比較データ」とする）が破線で示される。本件データを取得した際のＴ１及びＴ３は６０秒であり、Ｔ２及びＴ４は３０秒である。また、比較データを取得した際の第１通流状態及び第２通流状態の期間は９０秒である。
【００４１】
図５に示されるように、比較データでは出口付近の湿度が最も下がるのは運転開始から３０秒後、すなわち冷却するのに３０秒要していた。一方、本件データでは、第１遷移状態及び第２遷移状態からなる予備冷却状態を設けることにより、出口付近の湿度が最も下がるのは運転開始から１５秒後に短縮することができた。
【００４２】
ここで、本件データの取得時には比較データの取得時に対して、上述した予備冷却（先行冷却）を行っている。このような予備冷却を行う場合、再生時間が短くなる。再生時間が短くなると、調湿素子Ｄ１，Ｄ２に与える熱の総量が少なくなるので、再生時間が短くなった分の熱量を補完するために風量の増加も行ってみた。例えば、３０〔秒〕の先行冷却では、再生時間が元の９０〔秒〕から６０〔秒〕になる。そうすると、ＲＡ風量が１〔倍〕のままでは熱の総量が少ないため、風量を９０／６０＝１．５〔倍〕にすることで条件が揃えられる。このように取得された平均除湿量は以下の通りである。
【００４３】
先行時間：０〔秒〕、ＲＡ風量倍率：１．００〔倍〕の時の平均除湿量は６．６５〔ｇ／ｋｇ’〕、先行時間：０〔秒〕、ＲＡ風量倍率：１．２５〔倍〕の時の平均除湿量は６．９５〔ｇ／ｋｇ’〕、先行時間：０〔秒〕、ＲＡ風量倍率：１．５０〔倍〕の時の平均除湿量は６．８７〔ｇ／ｋｇ’〕であった。また、先行時間：３０〔秒〕、ＲＡ風量倍率：１．００〔倍〕の時の平均除湿量は６．８１〔ｇ／ｋｇ’〕、先行時間：３０〔秒〕、ＲＡ風量倍率：１．２５〔倍〕の時の平均除湿量は６．９２〔ｇ／ｋｇ’〕、先行時間：３０〔秒〕、ＲＡ風量倍率：１．５０〔倍〕の時の平均除湿量は７．０５〔ｇ／ｋｇ’〕であった。これらの結果から、例えばＲＡ風量倍率が１．００〔倍〕のときには、比較データに係る従来システムを用いた場合（先行時間：０〔秒〕の場合）には平均除湿量が６．６５ｇ／ｋｇ’であったものが、本空調システム１００（先行時間：３０〔秒〕の場合）では６．８１ｇ／ｋｇ’と増加することもできた。このように本空調システム１００によれば、除湿効果及び冷却効果を高めることが可能である。
【００４４】
〔別実施形態〕
（１）上記実施形態にあっては、第１ファンＦ１の配設位置を給気通路Ｒ１上で特定の位置に限定すると共に、第２ファンＦ２の配設位置を排気通路Ｒ２上で特定の位置に限定した。
しかしながら、第１ファンＦ１の配設位置は、給気通路Ｒ１上であれば、どの位置に設けても良く、第２ファンＦ２の配設位置は、排気通路Ｒ２上であれば、どの位置に設けても構わない。
ただし、作用通路Ｒ３の排気通路Ｒ２への接続部位は、第２ファンＦ２の上流側とすることとする。
【００４５】
（２）作用通路Ｒ３は、別に給気通路Ｒ１及び排気通路Ｒ２に接続されていなくても構わない。この場合、作用通路Ｒ３に、作用空気供給手段として、第２ファンＦ２とは別に第３ファン（作用空気供給手段の一例）を設けることとなる。
【００４６】
（３）上記実施形態では、切換機構Ｋは、一対の調湿素子Ｄ１、Ｄ２への空気の通流状態を切り換える形態、即ち、給気通路Ｒ１と排気通路Ｒ２と作用通路Ｒ３を切換弁等により切り換える形態で、一対の調湿素子Ｄ１、Ｄ２の吸湿側と被再生側とを切り換える、即ち、第１通流状態と第２通流状態とを切り換える例を示した。
しかしながら、切換機構Ｋは、一対の調湿素子Ｄ１、Ｄ２自体の配置を、置き換えることで、第１通流状態と第２通流状態とを切り換える構成を採用しても構わない。
【００４７】
（４）上記実施形態では、加熱器ＥＸ２へは、貯湯槽（図示せず）の中間領域に貯留される湯水を熱媒として通流させる構成例を示した。しかしながら、例えば、当該加熱器ＥＸ２へ導かれる熱媒としては、エンジンや燃料電池での発生熱を回収するように循環している冷却水を通流する構成を採用しても構わない。また、上記実施形態では、加熱器ＥＸ２へ導かれる熱媒として、豊富に存在する中温の排熱を保有する熱媒（例えば、６０℃程度の熱媒）を用いる例を示したが、別に高温の排熱を保有する熱媒を用いても構わない。
【００４８】
（５）上記実施形態では、空調システム１００に係る構成を、第１ユニットと第２ユニットとに分割して設ける構成を採用したが、別に、分割することなく、一体のユニットして構成しても構わない。
【００４９】
（６）上記実施形態では、切換機構Ｋは、第１遷移状態では、作用通路Ｒ３を、室外空間から取り込んだ空気が、冷却空気として他方側の調湿素子Ｄ１の冷却部ＣＳを通流する状態とすると共に、給気通路Ｒ１を、室外空間から取り込んだ空気が、吸着空気として一方側の調湿素子Ｄ１の調湿部ＤＳを通流した後に、顕熱熱交換部ＥＸ１を通流する状態とし、第２遷移状態では、作用通路Ｒ３を、室外空間から取り込んだ空気が、冷却空気として一方側の調湿素子Ｄ１の冷却部ＣＳを通流する状態とすると共に、給気通路Ｒ１を、室外空間から取り込んだ空気が、吸着空気として他方側の前記調湿素子Ｄ２の調湿部ＤＳを通流した後に、顕熱熱交換部ＥＸ１を通流する状態とするとして説明した。しかしながら、切換機構Ｋは、第１遷移状態では、作用通路Ｒ３を、室外空間から取り込んだ空気が、冷却空気として他方側の調湿素子Ｄ１の冷却部ＣＳを通流する状態のみとし、第２遷移状態では、作用通路Ｒ３を、室外空間から取り込んだ空気が、冷却空気として一方側の調湿素子Ｄ１の冷却部ＣＳを通流する状態のみとするように構成することも可能である。
【００５０】
（７）上記実施形態では、第１遷移状態及び第２遷移状態は、第１通流状態及び第２通流状態の期間の半分の期間であるとして説明したが、第１遷移状態及び第２遷移状態は、第１通流状態及び第２通流状態の期間の半分の期間以外で設定することも可能である。
【００５１】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００５２】
本発明は、室外空間から取り込んだ空気を室内空間へ供給する給気通路と、当該給気通路へ室外空間から取り込んだ空気を通流させる給気手段と、室内空間から取り込んだ空気を室外空間へ排気する排気通路と、当該排気通路へ室内空間から取り出した空気を通流させる排気手段と、通過する吸着空気の水分を吸着すると共に通過する再生空気へ水分を脱着する調湿部と、通過する冷却空気にて前記調湿部の吸着に伴う吸着熱を吸収する冷却部とを、前記調湿部にて水分を吸着しているときに前記冷却部にて吸着熱を吸収可能に備えた調湿素子を一対備えた空調システムに用いることが可能である。
【符号の説明】
【００５３】
１００：空調システム
Ｄ１：調湿素子
Ｄ２：調湿素子
ＣＳ：冷却部
ＤＳ：調湿部
ＥＸ１：顕熱熱交換部
ＥＸ２：加熱器（加熱部）
Ｆ１：第１ファン（給気手段）
Ｆ２：第２ファン（排気手段）
Ｋ：切換機構
Ｒ１：給気通路
Ｒ２：排気通路
Ｒ３：作用通路
【図１】
0006594227.tif 000002
【図２】
0006594227.tif 000003
【図３】
0006594227.tif 000004
【図４】
0006594227.tif 000005
【図５】
0006594227.tif 000006
【図６】
0006594227.tif 000007
【図７】
0006594227.tif 000008